【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
スイッチモード電源のためのコントローラであって、
前記電源の入力電圧のゼロ交差の前に第１の信号を生成するように結合されるゼロ交差検出器と、
前記電源の出力を表わすフィードバック信号に応答して駆動論理出力信号を生成するように結合されるべき駆動論理とを備え、前記駆動論理出力信号は初期オン時間を表わし、さらに
前記駆動論理出力信号に応答して駆動信号を生成するように前記ゼロ交差検出器および前記駆動論理に結合されるオン時間延長ブロックを備え、前記駆動信号は、前記電源のフィルタコンデンサから電荷を除去するように前記コントローラに結合されるべきスイッチのスイッチングを制御するものであり、前記駆動信号は、前記初期オン時間と延長されたオン時間との和に等しい前記スイッチの全オン時間を表わし、前記延長されたオン時間は前記第１の信号に応答する、コントローラ。
【請求項２】
前記第１の信号は、前記電源の前記入力電圧の前記ゼロ交差について前提条件が存在するか否かを示す前提条件信号である、請求項１に記載のコントローラ。
【請求項３】
前記オン時間延長ブロックは、前記前提条件がもはや存在しないことを前記前提条件信号が示すまで、または前記全オン時間がゼロ交差時間しきい値に達するまで、前記スイッチの前記延長されたオン時間を増大するように適合される、請求項２に記載のコントローラ。
【請求項４】
前記オン時間延長ブロックは、前記ゼロ交差時間しきい値を表わす期間を含むゼロ交差パルス信号を受けるように結合される、請求項３に記載のコントローラ。
【請求項５】
前記ゼロ交差検出器は、前記電源の前記入力電圧がゼロ交差電圧しきい値未満であることに応答して前記第１の信号を生成する、請求項１に記載のコントローラ。
【請求項６】
前記ゼロ交差検出器は、前記スイッチを通って流れるスイッチ電流がゼロ交差電流しきい値未満であることに応答して前記第１の信号を生成する、請求項１に記載のコントローラ。
【請求項７】
前記ゼロ交差検出器は、ゼロ交差条件が存在することを示すゼロ交差信号を生成するように結合され、前記駆動論理は、前記ゼロ交差信号および前記フィードバック信号に応答して前記駆動論理出力信号を生成する、請求項１に記載のコントローラ。
【請求項８】
前記コントローラおよび前記スイッチは集積回路に含まれる、請求項１に記載のコントローラ。
【請求項９】
前記コントローラは、スイッチモード電源のための集積回路コントローラである、請求項１に記載のコントローラ。
【請求項１０】
スイッチモード電源のためのコントローラであって、
前記電源の入力電圧のゼロ交差の前に第１の信号を生成するように結合されるゼロ交差検出器と、
前記電源の出力を表わすフィードバック信号に応答して駆動論理出力信号を生成するように結合されるべき駆動論理とを備え、前記駆動論理出力信号は初期オン時間を表わし、さらに
前記電源に含まれるスイッチのスイッチングを制御するように駆動信号を生成するラッチを有するオン時間延長ブロックを備え、前記ラッチは前記駆動論理出力信号に応答してセットされるように結合され、前記駆動信号は、前記電源のフィルタコンデンサから電荷を除去するように前記コントローラに結合されるべきスイッチのスイッチングを制御するものであり、前記駆動信号は、前記初期オン時間と延長されたオン時間との和に等しい前記スイッチの全オン時間を表わし、前記延長されたオン時間は前記第１の信号に応答する、コントローラ。
【請求項１１】
前記第１の信号は、前記電源の前記入力電圧の前記ゼロ交差について前提条件が存在するか否かを示す前提条件信号である、請求項１０に記載のコントローラ。
【請求項１２】
前記ラッチは、前記前提条件がもはや存在しないことを前記前提条件信号が示すか、または前記全オン時間がゼロ交差時間しきい値に達した場合のいずれかにリセットされるように結合される、請求項１１に記載のコントローラ。
【請求項１３】
スイッチモード電源であって、
スイッチと、
前記スイッチに結合され、入力電圧に応答して出力を生成するように結合されるエネルギ転送要素と、
前記エネルギ転送要素および前記スイッチの両端に結合されるフィルタコンデンサと、
前記入力電圧に応答して前記出力を調整するように結合されるコントローラとを備え、前記コントローラは、
前記入力電圧のゼロ交差の前に第１の信号を生成するように結合されるゼロ交差検出器と、
前記電源の出力を表わすフィードバック信号に応答して駆動論理出力信号を生成するように結合されるべき駆動論理とを含み、前記駆動論理出力信号は初期オン時間を表わし、さらに前記コントローラは、
前記駆動論理出力信号に応答して駆動信号を生成するように前記ゼロ交差検出器および前記駆動論理に結合されるオン時間延長ブロックを含み、前記駆動信号は、前記フィルタコンデンサから電荷を除去して前記フィルタコンデンサの電圧が前記入力電圧の大きさに実質的に従うように前記フィルタコンデンサの前記電圧をプルダウンするように前記コントローラに結合されるべきスイッチのスイッチングを制御するものであり、前記駆動信号は、前記初期オン時間と延長されたオン時間との和に等しい前記スイッチの全オン時間を表わし、前記延長されたオン時間は前記第１の信号に応答する、スイッチモード電源。
【請求項１４】
前記入力電圧が前記エネルギ転送要素から切り離されて前記入力電圧を調節する時間量を制御するように、前記エネルギ転送要素と前記電源の入力との間に結合される調光器回路をさらに備える、請求項１３に記載のスイッチモード電源。
【請求項１５】
前記調光器回路はトライアック調光器回路である、請求項１４に記載のスイッチモード電源。
【請求項１６】
前記トライアック調光器回路は、前記トライアック調光器回路がオフしないようにする最小保持電流を含み、前記オン時間延長ブロックは、前記トライアック調光器回路を通る電流が前記最小保持電流を下回らないように前記トライアック調光器回路を通る前記電流を維持するように構成される、請求項１５に記載のスイッチモード電源。
【請求項１７】
前記電源の前記出力は、発光ダイオードのアレイを含む負荷に結合されるものである、請求項１３に記載のスイッチモード電源。
【請求項１８】
スイッチモード電源のためのコントローラであって、
出力と、前記電源のスイッチを通る電流を表わす電流検知信号を受信するように結合された第１の入力と、ゼロ交差電流しきい値を表わす参照信号を受信するように結合された第２の入力とを有する比較器と、
前記電流検知信号に応答するとともに前記電源の出力を表わすフィードバック信号に応答して、駆動論理出力信号を生成するように結合された駆動論理とを備え、
前記駆動論理出力信号は、前記電源の出力を調整するための前記スイッチのオン時間を表わし、
前記コントローラは、
前記比較器の出力に応答するとともに前記駆動論理出力信号に応答して、前記スイッチを制御するように結合されたオン時間延長ブロックをさらに備え、
前記オン時間延長ブロックは、前記電流検知信号が前記ゼロ交差電流しきい値に到達したことを前記比較器の出力が示すまで、あるいは、前記スイッチのオン時間がゼロ交差時間しきい値に到達するまで、前記スイッチのオン時間を増加する、コントローラ。
【請求項１９】
スイッチモード電源のためのコントローラであって、
前記電源のゼロ交差条件を示すゼロ交差信号を生成するように結合されたゼロ交差検出器と、
前記ゼロ交差検出器に結合されて、前記ゼロ交差信号に応答するとともに前記電源の出力を表わすフィードバック信号に応答して、駆動論理出力信号を生成する駆動論理とを備え、
前記駆動論理出力信号は、前記電源の出力を調整するためのスイッチのオン時間を表わし、
前記コントローラは、
前記スイッチを通る電流を表わす第１の信号、およびゼロ交差時間しきい値を表わす第２の信号を受信するように結合された論理ゲートをさらに備え、
前記論理ゲートは、前記スイッチを通る電流がゼロ交差電流しきい値に到達するまで、あるいは、前記スイッチのオン時間が前記ゼロ交差時間しきい値に到達するまで、前記スイッチのオン時間を延長するようにさらに結合される、コントローラ。
【請求項２０】
前記論理ゲートはＯＲゲートを含む、請求項１９に記載のコントローラ。
【請求項２１】
前記スイッチを制御するための駆動信号を生成するように結合されたラッチをさらに備え、
前記ラッチは、前記駆動論理出力信号に応答してセットおよびリセットされる、請求項１９に記載のコントローラ。
【請求項２２】
前記論理ゲートは、前記駆動論理出力信号が前記ラッチをリセットしないようにして前記スイッチのオン時間を延長する、請求項２１に記載のコントローラ。
【請求項２３】
反転された駆動論理出力信号、および前記論理ゲートの出力を受信するように結合されたＡＮＤゲートをさらに備え、
前記ＡＮＤゲートの出力は、前記論理ゲートの出力および前記反転された駆動論理出力信号の双方が論理ハイの場合に、前記ラッチをリセットするように結合される、請求項２２に記載のコントローラ。
【請求項２４】
前記駆動論理出力信号を受信するとともに、前記駆動論理出力信号の立上がりエッジにおいてパルスを生成するように結合された単安定マルチバイブレータをさらに備え、
前記ラッチは、前記パルスに応答してセットされる、請求項２１に記載のコントローラ。
【請求項２５】
前記第１の信号の立下がりエッジを、ｔDの遅延時間だけ遅延させるように結合された立下がりエッジ遅延をさらに備え、
前記論理ゲートは、ｔDの前記遅延時間だけ遅延された前記第１の信号を受信する、請求項１９に記載のコントローラ。
【請求項２６】
スイッチモード電源のためのコントローラであって、
前記電源のゼロ交差条件を示すゼロ交差信号を生成するように結合されたゼロ交差検出器と、
前記ゼロ交差検出器に結合されて、前記ゼロ交差信号に応答するとともに、前記電源の出力を示すフィードバック信号に応答して、駆動論理出力信号を生成する駆動論理とを備え、
前記駆動論理出力信号は、前記電源の出力を調整するためのスイッチのオン時間を表わし、
前記コントローラは、
前記スイッチを通る電流を表わす第１の信号、およびゼロ交差時間しきい値を表わす第２の信号を受信するように結合された論理ゲートをさらに備え、
前記論理ゲートは、前記スイッチを通る電流がゼロ交差電流しきい値よりも小さく、かつ前記スイッチのオン時間が前記ゼロ交差時間しきい値よりも小さい場合に、前記スイッチのオン時間を延長するようにさらに結合される、コントローラ。